(57)【要約】      （修正有）【課題】バンダナキャップや海賊帽を組み合わせて、装着性、装着時の整髪の崩れ防止およびきここちの良さの向上を図ったカチューシャ内蔵のキャップを提供する。【解決手段】一枚の布１の縫い合わせで、頭部前面に袋状のスリットをつくり、その中に市販のＣ字型カチューシャを挿入２し、上頭部の形、両サイドに膨らみ４を持たせて、ゴムヒモを縫い合わせた構造にし、後頭部で軽く結ぶ。【選択図】図４
0003145335.tif 000002
【実用新案登録請求の範囲】
【請求項１】
キャップ前面の額上部にあたる部分に、約１５〜２０ｍｍ幅、長さ３００〜４００ｍｍの筒状のスリットが、カチューシャを内蔵できるように加工され、その一方は袋状に縫い付けられており、片方は開放されていてもよいし、マジックテープまたはホックなどで止めるようにしてもよい。あるいは、前記筒状のスリットの両サイドは、開放されたままでもよいが、両サイドはマジックテープまたはホックなどでとめるようにしてもよい。キャップ前面の前記筒状スリットの左右の延長上に、後頭部で結べるように布地が延びている。また上記袋状のスリットには、開放部よりプラスチック製Ｃ字型カチューシャを挿入したことを特徴とする、カチューシャ内蔵キャップ
【請求項２】
上記カチューシャ内蔵キャップにおいて、頭の上部にあたる部分に、頭髪の形を押し崩さないように、相応のふくらみをもたせるように、ゴムヒモ等で縫い合わされていることを特徴とする、カチューシャ内蔵キャップ
【考案の詳細な説明】
【考案の詳細な説明】
【産業上の利用】
【０００１】本考案は、髪の乱れを隠し、脱毛、ふけ等の落下を防止し、場合により、女性の禿げ、薄毛などをカバーする装飾品としても利用できる着脱自在なキャップに関するものである。
【従来技術】
【０００２】一般にバンダナといわれて、三角巾や四角巾を頭部に巻きつけて使用したり、またバンダナキャップとか海賊帽の呼び名で、頭の形にあわせて裁断され、縫い合わされ、帯でしめるものなどがあり、老若男女、各種場面で頭部に着用されているものがある。頭部に着用して、頭髪を締め付けるため、頭髪の形くずれがあるばかりでなく、鏡を見ながらの手順でも、装着のしにくさがあった。また、着用時、落ちないようにするために、かなりきつく締め付けて結ぶことが必要であるため、きここちが良くなかったし、着脱に難があった。
従来のバンダナや、バンダナキャップ、海賊帽は、頭髪の形くずれ、装着のしにくさ、デザインなどから、例えば、料理人が、頭髪が落ちないようにとか、木工人が頭部に埃がつかないようにとかで、頭に何か着用したくても、敬遠がちであった。
一方、カチューシャと呼ばれている、プラスチックや金属製のＣ字型のバンドを、頭に着けて、髪飾りにしたり、髪の乱れ防止用などに、種々のデザインのものが売られている。
【考案の開示】
【考案の解決しようとする課題】
【０００３】一枚の布でカットされたバンダナの場合、２〜３時間装着していただけで、せっかくのパーマネントや、整髪はくずれてしまうので装着する人が嫌がり限定される。
また、バンダナキャップや海賊帽のように、一応頭部の形が形成されているものでも、髪形のくずれを防止出来ない。
バンダナキャップや海賊帽の場合でも、装着時、鏡をみながら恰好よく被ろうとするが難しいし、折角被れても、すぐずれたり、くずれてしまう。
バンダナあるいはバンダナキャップにしても装着時、少し長く着けていると、蒸れたり、締め付けで痛かったりで外したくなる。などの多くの欠点をかかえている。
これらの欠点を従来のバンダナやバンダナキャップ、海賊帽にカチューシャを巧みに組み込むことにより、頭部の保護、頭部の見映えの改善、髪形の形くずれ防止、装着のしやすさなどを改善するものである。これにより、従来使用されなかった分野や使用が必要であっても敬遠されることが多かった分野、用途に充分対応できる。
【課題を解決するための手段】
【０００４】種々の頭の形に適合するものとして、頭部前面の額上部にあたる帯の部分を袋状にし、その中にＣ字型カチューシャを挿入してみたところ、カチューシャの機能で、ワンタッチで、頭部前面に装着でき、後は、後頭部で結ぶだけで完全に固定できる。装着性は、抜群である。また、一枚の布の一旦が頭部前面で固定され、後は、上頭部の形、両サイドに膨らみを持たせる、あるいは頭の上部にあたる部分にゴムヒモを縫い合わせた構造などにして膨らみを持たせ、後頭部で軽く結ぶだけでよい。市販のＣ字型カチューシャのバネの強さは、いろいろあるが、プラスチック製で、厚さ０．５〜１ｍｍ扁平棒状のもののなかから装着して強すぎず、弱すぎないバネのものを十分選択できる。そうすると、長く装着していても、きここちよく、違和感なく、痛さもなく、被っていることを忘れるほどである。
その上、カチューシャの機能でほぼ頭に固定されるため、後ろでの結びは、髪の形によって、ちょっと強めにしたり、軽めにすることにより、整髪の形、パーマネントの形を崩さずに保つことが出来る。軽めに結んでも、カチューシャの機能で、脱げてしまうことがない。また、洗濯時は、袋状スリットのマジックテープがついている開放側より、カチューシャを取り外し、使用時に挿入し、マジックテープで固定し、抜けないようにすることができる。
また、使用する布地としては、各色合いの無地のものでもよいが、薄毛あるいはスキンヘッドの保護ないしは見映え改善には、生地の地合いや好ましい柄ものを選択するすることができる。
【考案の効果】
【０００５】本考案は、整髪などの髪形を崩すことなく、薄毛、スキンヘッドなどの外観をカバーするキャップとして、長時間装着していてもここちよく、違和感なく、装着性、脱着性もワンタッチで抜群である。また生地、柄、デザインは自由に変えることが出来るので、種々の用途、好みにより選択できる。従って、頭に被る装身具として、広い範囲で有効に利用できる。  例としあげてみると
１）      料理教室で
２）      病院の患者さん用
３）      アウトドア−用途
４）      老人ホームで
５）      各種イベントで
６）      看護婦さん用
７）      家庭での料理、掃除、庭の手入れ、  など
【考案を実施するための最良の形態】
【実施例１】  図面に示す実施例について詳細に説明する。【０００６】［図１］に示す断裁されたブロード地を使用して、キャップ前面の額上部にあたる部分に１５ｃｍ幅、長さ３５ｃｍの袋状スリットを作り、袋の一端は開放されているが、マジックテープが縫い付けられている。この袋状スリットにＣ字型カチューシャを挿入し、付属のマジックテープで止める。
［図３］は、上記のカチューシャ入りキャップをかぶったところの斜視図である。
それは、片手で、カチューシャ入り部分をもって、額の上部にカチューシャを差し込む要領で差し込み、後ろで軽く結ぶだけである。装着性は簡単で、カチューシャの機能で固定されるため、布で締め付ける感じは全くなく、長く装着していても、きここちよく、違和感なく、被っていることを忘れるほどである。
【実施例２】
【０００７】［図２］に示す断裁されたブロード地を使用して、キャップ前面の額上部にあたる部には、実施例１と同様のＣ字型カチューシャを挿入する袋状スリットつくり、頭の上部にある部分に、頭髪の形を崩さないように、相応の膨らみをもたせるように、ゴムヒモが縫い合わされてキャップが作成される。
［図４］は、上記カチューシャ入りキャップをかぶったところの斜視図である。
それは、片手で、カチューシャ入り部分をもって、女性の場合は、整えられた前髪部の上部にカチューシャを差し込む要領で差し込み、後ろで軽く結ぶだけである。装着性は簡単で、カチューシャの機能で固定されるため、布で締め付ける感じは全くなく、さらに上部に相応の膨らみをもたせているため、盛り上がった髪形でも押しつぶすことなく、長くきここちよく被っていることが出きる。
【図面の簡単な説明】
【０００８】
【図１】本考案の実施形態の生地の展開図である。
【図２】本考案の実施形態の請求項２を含む場合の展開図である。
【図３】本考案の実施形態のキャップの斜視図である。
【図４】本考案の実施形態の請求項２を含む場合のキャップの斜視図である。
【符号の説明】
【０００９】１・・生地
２・・Ｃ字型カチューシャ挿入部
３・・マジックテープ
４・・上部の膨らみ部分
【図１】
0003145335.tif 000003
【図２】
0003145335.tif 000004
【図３】
0003145335.tif 000005
【図４】
0003145335.tif 000006
【手続補正書】
【提出日】平成20年7月2日(2008.7.2)
【手続補正１】
【補正対象書類名】実用新案登録請求の範囲
【補正対象項目名】全文
【補正方法】変更
【補正の内容】
【実用新案登録請求の範囲】
【請求項１】
キャップ前面の額上部にあたる部分に、幅１５〜２０ｍｍ、長さ３００〜４００ｍｍの筒状のスリットが、カチューシャを内蔵できるように加工され、
（１）    その一方は袋状に縫い付けられており片方は開放されていてもよいし、
（２）    片方は、マジックテープ（登録商標）またはホックなどで止めるようにしてもよい、
（３）    また前記筒状のスリットの両サイドは、開放されたままでもよいし
（４）    両サイドはマジックテープ（登録商標）またはホックなどでとめるようにしてもよく、種々の態様をとることができ、
キャップ前面の前記筒状のスリットの左右の延長上には、後頭部で結べるように布地が延びており、前記筒状のスリットには、プラスチック製Ｃ字型カチューシャを挿入したことを特徴とする、カチューシャ内蔵キャップ。
【請求項２】
請求項１記載のカチューシャ内蔵キャップにおいて、頭の上部にあたる部分に、頭髪の形を押し崩さないように、相応のふくらみをもたせるように、ゴムヒモ等で縫い合わされていることを特徴とする、カチューシャ内蔵キャップ。
【手続補正２】
【補正対象書類名】明細書
【補正対象項目名】０００４
【補正方法】変更
【補正の内容】
【０００４】種々の頭の形に適合するものとして、頭部前面の額上部にあたる帯の部分を袋状にし、その中にＣ字型カチューシャを挿入してみたところ、カチューシャの機能で、ワンタッチで、頭部前面に装着でき、後は、後頭部で結ぶだけで完全に固定できる。装着性は抜群である。
また、一枚の布の一端が頭部前面で固定され、後は、上頭部の形、両サイドに膨らみを持たせる、あるいは頭の上部にあたる部分にゴムヒモを縫い合わせた構造などにし、後頭部で軽く結ぶだけでよい。  市販のＣ字型カチューシャのバネの強さは、いろいろあるが、プラスチック製で、厚さ０．５〜１ｍｍ、扁平棒状のもののなかから装着して強すぎず、弱すぎないバネのものを充分選択できる。そうすると、長く装着していても、きここちよく、違和感なく、痛さもなく、被っていることを忘れるほどである。
その上、カチューシャの機能でほぼ頭に固定されるため、後ろでの結びは、髪の形によって、ちょっと強めにしたり、軽めにすることにより、整髪の形、パーマネントの形を崩さずに保つことが出きる。軽めに結んでも、カチューシャの機能で、脱げてしまうことがない。  また、洗濯時は、袋状スリットのマジックテープ（登録商標）がついている開放側より、カチューシャを取り外し、使用時に挿入し、マジックテープ（登録商標）で固定し、抜けないようにすることができる。
また、使用する布地としては、各色合いの無地のものでもよいが、薄毛あるいはスキンヘッドの保護ないしは見映え改善には、生地の地合いや好ましい柄ものを選択することができる。
【手続補正３】
【補正対象書類名】明細書
【補正対象項目名】０００６
【補正方法】変更
【補正の内容】
【０００６】
【図１】に示す断裁されたブロード地を使用して、キャップ前面の額上部にあたる部分に１５ｃｍ幅、長さ３５ｃｍの袋状スリットを作り、袋の一端は開放されているが、マジックテープ（登録商標）が縫い付けられている。この袋状スリットにＣ字型カチューシャを挿入し、付属のマジックテープ（登録商標）でとめる。
【図３】は、上記カチューシャ入りキャップを被ったところの斜視図である。それは、片手でカチューシャ入り部分を持って、額の上部にカチューシャを差し込む要領で差込み、後ろで軽く結ぶだけである。装着性は簡単で、カチューシャの機能で固定されるため、布で締め付ける感じは全くなく、長く装着していても、きここちよく、違和感なく、被っていることを忘れるほどでである。
【手続補正４】
【補正対象書類名】明細書
【補正対象項目名】０００９
【補正方法】変更
【補正の内容】
【０００９】１・・生地
２・・Ｃ字型カチューシャ挿入部
３・・マジックテープ（登録商標）
４・・上部の膨らみ部分